(57)【要約】【課題】プレスキャンを必要とせず、連続調のハイライト領域を地肌と認識しないで、地肌除去可能な画像処理装置を提供すること。【解決手段】地肌判定回路３１４には、評価結果、判定結果、判断結果が入力されており、これらに基づいて、画素ブロックが地肌部分か否かを判定する。地肌濃度記憶回路３１６は、地肌濃度を記憶し、地肌候補値および判定結果が入力さており、判定結果に応じて保持している地肌濃度を地肌候補値に書換える。遅延回路３０４は、画素ブロックの大きさの分、入力された画像信号を遅延し、地肌除去回路３１８に出力する。地肌除去回路には、地肌濃度３１１も入力されており、地肌除去回路は、地肌濃度に応じて画像信号を補正して出力する。この補正は、図４に示すように、検出された地肌濃度と等しい画像信号値が、一定となるように、変換特性の傾きを制御し、この変換特性による補正が実施される。【選択図】            図３
2004248095.tif 000002
【特許請求の範囲】
【請求項１】
複数の色成分からなるカラー画像データに基づいて画像の地肌濃度を検出する地肌濃度検出手段と、
この地肌濃度検出手段で検出した地肌濃度に基づいて、前記カラー画像データを補正する地肌濃度補正手段と、を備えた画像処理装置において、
前記地肌濃度検出手段は、
地肌濃度を記憶する記憶手段と、
主走査方向を複数領域に分割した際の、各領域における画像データの平坦性を色成分毎に評価する評価手段と、
この評価手段により平坦性を評価した領域における画像データの代表値を抽出する抽出手段と、
前記記憶手段に記憶された地肌濃度と前記抽出手段が抽出した代表値との差を所定の閾値と比較する比較手段と、
前記記憶手段に記憶された地肌濃度と前記抽出手段が抽出した代表値に基づいて地肌濃度を予測する予測手段と、を備え、
前記記憶手段は、前記評価手段による評価結果および前記比較手段による比較結果に応じて前記予測手段が予測した地肌濃度を記憶し、
前記地肌濃度補正手段は、この記憶手段に記憶されている前記予測手段が予測した地肌濃度に基づいてカラー画像データを補正することを特徴とする画像処理装置。
【請求項２】
前記比較手段による比較は、前記抽出手段が抽出した色成分毎に行うことを特徴とする請求項１記載の画像処理装置。
【発明の詳細な説明】
【０００１】
【発明の属する技術分野】
本発明は、入力された画像データに基づいて地肌濃度を検出し、これに応じた地肌除去を行う画像処理装置に関し、特に、イメージスキャナ、ファクシミリ、デジタル複写機等のように原稿の読み取り機構を有する画像処理装置に関する。
【０００２】
【従来の技術】
イメージスキャナ、ファクシミリ、デジタル複写機等で取り扱う原稿には様々な種類があり、その地肌濃度は広い範囲に及んでいる。一方、原稿の地肌を読み取ったまま出力すると全体として画像品質を損ねてしまうことがある。このため、原稿の地肌濃度を一意的に検出して地肌濃度以下の部分を消去する地肌除去が、これらの装置では、従来より行われてきた。
【０００３】
【特許文献１】特許第３１３４２９２号
この文献には、白地の用紙に新聞や雑誌等の切り抜きを貼り合せ編集したような複数の独立した地肌濃度が混在する原稿を対象とし、プレスキャンによって作成した画像データの濃度ヒストグラムからそれぞれの領域の地肌濃度を検出しておき、本スキャン時は、処理中の領域が、検出したどの地肌濃度に該当するかを画像データから判定して、判定した地肌濃度に応じて地肌除去処理を行う画像処理装置が開示されている。
【特許文献２】特開２００２−９４７９５
この文献には、プレスキャンを行わずに地肌濃度を検出する装置であって地肌濃度を保持する手段を有し、保持している地肌濃度より明るい画像データの地肌濃度との差分をライン毎に集計し、集計した差分と保持している地肌濃度に基づいて次ラインの地肌濃度を更新すると共に、一定の割合で地肌濃度を暗くする方向にも更新しつつ、地肌除去処理を行う画像処理装置が開示されている。
【特許文献３】特開平７−７４９５２号
この文献には、低濃度で絵柄ハイライト領域に含まれない画素を地肌画素として検出して地肌濃度を更新しつつ、地肌除去処理を行う画像処理装置が開示されている。
【特許文献４】特開平７−２６４４０９号
この文献には、像域分離手段により地肌と検出された画素の濃度を地肌濃度として保持しつつ、地肌除去処理を行う画像処理装置が開示されている。
【０００４】
【発明が解決しようとする課題】
ところで、原稿を読取って得た画像データにおける地肌濃度のばらつきには、原稿の種類に起因するものの他に、２次元的な変動もある。これは、原稿自体の地肌濃度が必ずしも一様でないことに加え、原稿の折れ癖やブック原稿等の中綴じに起因する原稿の浮き、周辺に存在する黒ベタ等によるフレアの影響の減少、読取り機構のメカ的なばらつき等によるもので、連続的に変化するという特徴を有している。
近年は画像の高画質化、特に画像部分のハイライト再現性への要求が高まりつつあるが、このような地肌濃度の２次元的な変動を排除できなかったため、今までは十分な対応ができていなかった。
例えば、特許文献１で開示された技術は、プレスキャンという余分な動作を要するため高速に原稿を処理することができないという問題に加え、切貼り原稿のような複数の独立した地肌濃度が存在する場合にのみ効果を発揮し、連続的な地肌濃度の変化には対応できないという欠点があった。
また、特許文献２で開示された技術は、ライン単位で地肌濃度を更新するため強い方向性が発生し２次元的な地肌濃度の変動には対応できない、地肌濃度が暗くなる方向には定率で更新するため応答性が悪い、という欠点があった。
【０００５】
また、特許文献３で開示された技術では、絵柄ハイライト領域の検出で、濃度変動の大きい所を条件としている。これは印刷の網点を対象としているためで、連続調画像のハイライト領域は検出できない。このため、銀塩写真等のハイライト部分を地肌と認識して、除去してしまうという欠点があった。
さらに、特許文献４で開示された技術は、地肌部分の認識を像域分離手段に頼っているが、本来、像域分離は、エッジ強調や平滑化等のフィルタ処理を必要な部分に施すために開発された技術である。このため、どちらも平滑化が望ましい連続調の領域と地肌部分の識別性能は低いという欠点がある。実際、この実施例でも連続調の領域判定条件に、中間濃度で濃度変化があることを条件としており、上記と同様に、銀塩写真等のハイライト部分を地肌と認識して、除去してしまうという欠点があった。
そこで、本発明の目的は、プレスキャンを必要とせず、２次元的な変動にも追従でき、連続調のハイライト領域を地肌と認識しないで、地肌除去を行うことができる画像処理装置を提供することである。
【０００６】
【課題を解決するための手段】
請求項１記載の発明では、複数の色成分からなるカラー画像データに基づいて画像の地肌濃度を検出する地肌濃度検出手段と、この地肌濃度検出手段で検出した地肌濃度に基づいて、前記カラー画像データを補正する地肌濃度補正手段と、を備えた画像処理装置において、前記地肌濃度検出手段は、地肌濃度を記憶する記憶手段と、主走査方向を複数領域に分割した際の、各領域における画像データの平坦性を色成分毎に評価する評価手段と、この評価手段により平坦性を評価した領域における画像データの代表値を抽出する抽出手段と、前記記憶手段に記憶された地肌濃度と前記抽出手段が抽出した代表値との差を所定の閾値と比較する比較手段と、前記記憶手段に記憶された地肌濃度と前記抽出手段が抽出した代表値に基づいて地肌濃度を予測する予測手段と、を備え、前記記憶手段は、前記評価手段による評価結果および前記比較手段による比較結果に応じて前記予測手段が予測した地肌濃度を記憶し、前記地肌濃度補正手段は、この記憶手段に記憶されている前記予測手段が予測した地肌濃度に基づいてカラー画像データを補正することにより、前記目的を達成する。
請求項２記載の発明では、請求項１記載の発明において、前記比較手段による比較は、前記抽出手段が抽出した色成分毎に行うことを特徴とする。
【０００７】
【発明の実施の形態】
以下、本発明の好適な実施の形態について、図１から図４を参照して詳細に説明する。
図１は、本発明の実施の形態に係る複写機の機構部の概略を示した図であり、図２は、図１の複写機の電装部の概略を示した図である。
図１に示すように、複写機の機構部は、主に、原稿を読取るスキャナユニット１０１と、記録紙に画像を記録するプリンタユニット１０２から構成されている。
まず、スキャナユニット１０１に注目すると、原稿１０３はプラテン１０４上の所定の位置に載置され、ハロゲンランプ１０５−１，２により照射されている。原稿１０３からの反射光は、第１ミラー１０６，第２ミラー１０７，第３ミラー１０８およびレンズ１０９を経て、３ライン型カラ−ラインイメ−ジセンサであるＣＣＤ１１０に結像され、このＣＣＤ１１０により画像信号に光電変換される。
【０００８】
ここで、ハロゲンランプ１０５−１，２および第１ミラー１０６は、図示しない第１キャリッジに、第２ミラー１０７および第３ミラー１０８は図示しない第２キャリッジにそれぞれ搭載されており、原稿読取り時は、図示しないキャリッジ駆動モ−タにより第１および第２キャリッジが２：１の速度比で左から右へ移動する。これにより、プラテン１０４上に置かれた原稿の全面が走査される。
ＣＣＤ１１０により光電変換された画像信号は、画像処理ユニット１１１等で各種処理を施されたのち、プリンタユニット１０２の図示しないＬＤ（レ−ザ・ダイオ−ド）に入力され、ここでレーザ光に変換される。
【０００９】
プリンタユニット１０２に注目すると、ＬＤから出射されたレ−ザ光は、ポリゴンミラ−１１２で反射され、ｆθレンズ１１３および第４ミラー１１４を経て、反時計方向に回転している感光体ドラム１１５の表面上に結像照射される。ここで、ポリゴンミラ−１１２は、ポリゴンモ−タ１１６の回転軸に固着されており、ポリゴンモ−タ１１６は一定速度で回転してポリゴンミラ−１１２を回転駆動している。またポリゴンミラ−１１２の回転により上述のレ−ザ光は、感光体ドラム１１５の回転移動方向と垂直な方向、即ちドラム軸に沿う方向に走査される。
感光体ドラム１１５の表面は、図示しない高圧発生装置に接続された帯電チャ−ジャ１１７により、あらかじめ一様な正電位に帯電されている。また、レ−ザ光が感光体ドラム１１５に照射されると、光導電現象で表面の電荷がドラム本体の機器ア−スに流れて消滅する。
ここで、原稿濃度の淡い部分はＬＤを弱く点灯し、原稿濃度の濃い部分はＬＤを強く点灯する。これにより感光体ドラム１１５の表面には、ポリゴンミラー１１２による主走査と感光体ドラム１１５の回転による副走査とで、原稿の濃淡に応じた静電潜像が形成される。
【００１０】
現像ユニット１１８は、ブラック，シアン，マゼンタおよびイエローの正帯電したトナーをそれぞれ収容する現像部Ｋ，Ｃ，ＭおよびＹを有しており、何れか１つの現像部が選択されている。
選択された現像部は、図示しない高圧発生装置により所定の正電位にバイアスされ、上記静電潜像を現像して、原稿の濃淡に応じたトナー像を感光体ドラム１１５の表面に形成する。
転写ベルト１１９は、図示しない高圧発生装置により所定の負電位にバイアスされており、感光体ドラム１１５と同速度で時計方向に回転している。また上記トナー像は、感光体ドラム１１５と転写ベルト１１９が接近する間に、バイアスの作用により引き寄せられて転写ベルト１１９の表面に転写される。
【００１１】
尚、原稿の読取り，静電潜像の形成，トナー像の形成およびトナー像の転写動作は、必要な回数繰り返される。即ち、フルカラー，原稿色および登録色の各モードの場合は４回行われ、それぞれＫ，Ｃ，ＭおよびＹの順で現像部が選択され、形成されたトナー像は位置合わせをした上で、転写ベルト１１９の表面で重ね合わされる。またブラック，シアン，マゼンタおよびイエローの各モードの場合は１回だけ行われ、それぞれ現像部Ｋ，Ｃ，ＭおよびＹが選択される。
また、レッド，グリーンおよびブルーの各モードの場合は２回行われ、それぞれ現像部がＭとＹ，ＣとＹおよびＣとＭの順で選択され、形成されたトナー像は位置合わせをした上で、転写ベルト１１９の表面で重ね合わされる。
【００１２】
一方、給紙カセット１２０−１，２にはそれぞれ記録紙１２１−１，２が収納されており、どちらかの給紙カセットが選択されている。選択されている給紙カセット、例えば給紙カセット１２０−１の記録紙１２１−１は、給紙コロ１２２−１の給紙動作により繰り出され、レジストロ−ラ１２３−１，２に到達する。
レジストローラ１２３−１，２は始め停止しており、回転する転写ベルト１１９上のトナー像の位置に応じて所定のタイミングで回転を開始し、記録紙を送り出す。
転写チャ−ジャ１２４は図示しない負電圧の高圧発生装置に接続されており、転写ベルト１１９上のトナー像は、転写チャージャ１２４の作用により、送り出された記録紙に再転写される。尚、記録紙にトナー像を再転写する時は、転写ベルト１１９のバイアスを解除して、再転写を促進している。
【００１３】
トナー像が再転写された記録紙は、熱定着ユニット１２５−１，２に送られ、そこでトナー像が記録紙に固着され、機外に排出される。
尚、転写後も感光体ドラム１１５の表面に残留したトナーはクリ−ニングユニット１２６で除去され、感光体ドラム１１５は次の動作に備えられる。また再転写後も転写ベルト１１９の表面に残留したトナー−はクリ−ニングユニット１２７で除去され、転写ベルト１１９も次の動作に備えられる。
【００１４】
次に、図２を参照すると、複写機の電装部は、主に、上述したスキャナユニット１０１，画像処理ユニット１１１およびプリンタユニット１０２、処理モ−ド選択等の入力の検出および表示を行う操作表示ユニット２０１、およびこれら各ユニットの制御回路と通信を行い複写機２０２の全体の動作を制御するシステム制御ユニット２０３に分けられる。
また、複写機２０２は、ＬＡＮ（ローカル・エリア・ネットワーク）接続装置２０４と接続されており、ＬＡＮ２０５に接続されたワークステーション２０６やパーソナルコンピュータ２０７等の他の機器と、ＬＡＮ接続装置２０４を介して画像信号の入出力を行う。
【００１５】
スキャナユニット１０１に注目すると、上述のＣＣＤ１１０は入射光を赤緑青に色分解したのち、光電変換して、３種類のアナログ画像信号をＡ／Ｄ（アナログ／デジタル）変換回路２０８に出力する。そして、Ａ／Ｄ変換回路２０８は、入力された画像信号をそれぞれデジタル信号に変換するとともに、上述のハロゲンランプ１０５−１，２の原稿の照明むら、ＣＣＤ１１０内部の受光素子の感度むらの補正するシェーディング補正や暗電流に対する補正等の処理も行う。
また、スキャナ制御回路２０９は、システム制御ユニット２０３と通信を行うとともに、スキャナユニット１０１全体を制御している。例えば、上記Ａ／Ｄ変換回路２０８の動作制御、ハロゲンランプ１０５−１，２の点灯制御およびキャリッジ駆動モータ２１０の回転制御等を行う。また、原稿サイズセンサ２１１は、プラテン１０４に置かれた原稿の大きさを検出するセンサで、その検出結果をスキャナ制御回路２０９に出力している。
【００１６】
一方、Ａ／Ｄ変換回路２０８で変換された画像信号は、地肌除去回路に入力される。
地肌除去回路は入力された画像信号に基づいて、原稿の地肌濃度を検出しその濃度に応じた補正を行う回路で、補正された画像信号はγ変換回路２１２に入力される。
γ変換回路２１２は、ＬＡＮ接続装置２０４にも接続されており、Ａ／Ｄ変換回路２０８またはＬＡＮ接続装置２０４から入力される画像信号を濃度等に比例した画像信号に階調変換し、像域分離回路２１３，領域制御回路２１４，遅延回路２３０およびフィルタ回路２１５に出力する。また、設定によってγ変換回路２１２は、Ａ／Ｄ変換回路２０８から入力された画像信号を階調変換してＬＡＮ接続装置２０４に出力することもある。
【００１７】
像域分離回路２１３は、入力された画像信号に基づいて、処理を行っている画像部分が文字等の線画か否か、白黒画像かカラー画像かを判定する回路で、その結果を示す判定信号をフィルタ回路２１５に出力する。
領域制御回路２１４は、入力された画像信号を記憶したり、画像の部分領域毎に異なる画像処理を施すための切り換え信号を発生する等を行う回路で、発生した切り換え信号を遅延回路２３０に出力する。
領域制御回路２１４は、γ変換回路からの画像信号を２値化する２値化回路と、２値化した画像信号を記憶するデュアルポートの画像メモリ、記憶しているデータを切り換え信号として出力するデュアルポートの領域メモリおよび画像信号を操作表示ユニット２０１に送出する送出回路等から構成されている。
【００１８】
また、画像メモリ６０２および領域メモリ６０４は、後述する画像処理制御回路２１９からのアクセスが可能になっている。
フィルタ回路２１５は、γ変換回路２１２からの画像信号に、エッジ強調や平滑化等の２次元フィルタ処理等を施して出力する回路である。これらの処理は上記判定信号や切り換え信号により制御されており、例えば判定信号が線画であればエッジ強調の、非線画であれば平滑化のフィルタ処理を行う。
また、切り換え信号により、判定信号に拘らずエッジ強調や平滑化のフィルタ処理を行うこともある。
【００１９】
色補正回路２１６は、フィルタ回路２１５からの画像信号を、上述のごとく選択される現像器に応じたトナーの記録量に変換する色補正処理を行う。この処理は、上記判定信号や切り換え信号により制御されており、例えば切り換え信号に応じてフルカラーモードやブラックモードに適したトナー記録量に変換したり、フルカラーモードにおいて判定信号が線画且つ白黒画像であればＵＣＲ（下色除去）率を１００％に、非線画またはカラー画像であればＵＣＲ率を７０％にする変換を行うこともある。
また、切り換え信号に応じて一定の画像信号値や判定信号値を出力する塗り潰し処理、特定の色を消す色消去処理、特定な色を別の色にする色変換処理を行うこともある。
【００２０】
色補正回路２１６からは、トナー記録量に変換された１種類の画像信号，判定信号および切り換え信号が出力され、変倍回路２１７に入力される。
変倍回路２１７は、色補正回路２１６からの３種類の信号を主走査方向に拡大／縮小する変倍処理を行う回路である。
尚、原稿を副走査方向に拡大／縮小する変倍処理は、上述のキャリッジ駆動モータ２１０の回転制御により行っている。
【００２１】
階調処理回路２１８は、温度・湿度等で変動するプリンタユニット１０２の記録特性（画像信号対トナー記録量特性）を補正するγ補正処理や、主走査方向の１または数画素と副走査方向の１または数画素とを１単位とし、解像度または階調性を重視した階調表現をする階調処理等を行う。ここでγ補正処理および階調処理は、上記判定信号や切り換え信号により制御されており、例えば判定信号が線画であれば解像度を重視した階調処理を、非線画であれば階調性を重視した階調処理を行う。また階調処理の種類により上述の記録特性が変化するため、階調処理に連動して異なるγ補正処理を行う。
更に切り換え信号により、判定信号に拘らず所定の階調処理またはγ補正処理を行うこともある。尚、階調処理回路２１８はＬＡＮ接続装置２０４にも接続されており、上記処理が施された画像信号またはＬＡＮ接続装置２０４から入力される画像信号を出力する。また、設定によって階調処理回路２１８は、上記処理が施された画像信号をＬＡＮ接続装置２０４に出力することもある。
【００２２】
画像処理制御回路２１９は、システム制御ユニット２０３と通信を行うとともに、システム制御ユニット２０３からの要求に応じて、上述したγ変換回路２１２，像域分離回路２１３，領域制御回路２１４，遅延回路２３０，フィルタ回路２１５，色補正回路２１６，変倍回路２１７および階調処理回路２１８の設定等を行い、画像処理ユニット１１１全体を制御している。
一方、階調処理回路２１８から出力された画像信号は、プリンタユニット１０２のＬＤ制御回路２２０に入力される。ＬＤ制御回路２２０は、入力された画像信号に応じてパルス幅変調やパワー変調等を行ってＬＤ２２１を駆動し、これによってＬＤ２２１の点灯強度を調節している。
【００２３】
また、プリンタ制御回路２２２は、システム制御ユニット２０３と通信を行うとともに、プリンタユニット１０２全体を制御している。例えばＬＤ制御回路２２０を制御してＬＤ２２１を強制消灯したり、ポリゴンモータ１１６，感光体ドラム１１５を回転駆動するモータ２２３および転写ベルト１１９を回転駆動するモータ２２４等の回転制御、現像ユニット１１８の現像器Ｋ，Ｃ，ＭおよびＹの選択制御、高圧電源２２５の各負荷（例えば帯電チャージャ１１７，現像器，転写ベルト１１９，転写チャージャ１２４等）毎の出力制御、熱定着ユニット１２５−１，２の温度制御等を行う。尚、プリンタユニット１０２は、上述の給紙カセット１２０−１，２毎に、収納された記録紙の大きさを検出する紙サイズセンサ２２６を有しており、その検出結果はプリンタ制御回路２２２に出力されている。
【００２４】
操作表示ユニット２０１は、各種モードの選択肢や設定状態等や読取った原稿画像等を表示する表示部と表示部の押下位置を検出する検出部が一体となったＴＰＤ（タッチ・パネル・ディスプレイ）２２７、コピー枚数やコピー開始等を入力するためのキーボード２２８および操作表示制御回路２２９等から構成されている。操作表示制御回路２２９は、ＴＰＤ２２７に各モードの選択肢等を表示してキー入力等を促したり、ＴＰＤ２２７およびキーボード２２８からの入力を検出して、ＴＰＤ２２７に設定された状態を表示するとともに、システム制御ユニット２０３と通信を行って入力結果を送信する等を行っている。
また、読取った原稿等の画像信号は上述した領域制御回路２１４経由して送られ、ＴＰＤ２２７に記憶される。
【００２５】
次に、図３は、上述した地肌除去回路３１８の詳細を示した図である。
図３に示すように、画像信号３０１は、画像信号の平坦性を色成分毎に評価する評価回路３０２、上記平坦性を評価した領域における画像信号の代表値を色成分毎に抽出する抽出回路３０３、および遅延回路３０４に入力される。
評価回路３０２は、原稿の地肌部分の画像信号が平坦な特性を示すことから、その平坦性を評価する回路で、本実施例では主走査方向に連続する複数の所定画素で構成される画素ブロックにおける最大値と最小値をそれぞれ検出し、これらの差分を所定の閾値と比較する。
【００２６】
この検出・比較は画像信号の各成分毎に行われ、成分毎に定められた閾値よりそれぞれの差分が小さい時、平坦と評価され、評価結果３０５が出力される。
また、原稿の地肌部分は画像信号が平坦であると同時に明るい信号値を有する。抽出回路３０３は、上述したような画素ブロックにおける画像信号の代表値を抽出する回路で、本実施例では画素ブロックにおける画像信号の各成分毎の平均を代表値として抽出し、抽出結果３０６として出力する。
この抽出結果３０６は、第１比較回路３０７、第２比較回路３０８および候補値算出回路３０９に入力される。
【００２７】
第１比較回路３０７は、原稿の地肌部分の特徴である明るさを判定する回路で、抽出結果３０６を所定の閾値と比較する。この比較は抽出結果３０６の各成分毎に行われ、成分毎に定められた閾値よりそれぞれが大きい時、明るいと判定され、判定結果３１０が出力される。
また、第２比較回路３０８には、検出済みの地肌濃度３１１も入力されている。原稿の地肌濃度は、使用されている紙の種類によって変わるので幅がある。
一方、原稿には淡い画像部分が存在し、地肌濃度の低い原稿の場合は、淡い画像部分の濃度が、地肌濃度の高い原稿の地肌濃度よりも明るくなることがある。
第２比較回路３０８は、このような淡い画像部分を検出する回路で、抽出結果３０６と検出済みの地肌濃度３１１を比較する。この比較は各成分毎に行われ、地肌濃度３１１から抽出結果３０６を引いた結果が所定の閾値より大きい時、淡い画像部分と判断され、その判断結果３１２が出力される。
【００２８】
また、候補値算出回路３０９にも検出済みの地肌濃度３１１が入力されており、候補値算出回路３０９は両者の加重平均を算出して、地肌候補値３１３を出力する。地肌判定回路３１４には、評価結果３０５、判定結果３１０、判断結果３１２が入力されており、地肌判定回路３１４はこれらに基づいて、上述したような画素ブロックが地肌部分か否かを判定する。即ち、平坦で明るく淡い画像部分でない場合に地肌部分と判定し、判定結果３１５を出力する。
地肌濃度記憶回路３１６は、前述の検出済みの地肌濃度３１１を記憶する回路で、上述した地肌候補値３１３および判定結果３１５が入力さており、判定結果３１５に応じて保持している地肌濃度３１１を地肌候補値３１３に書換える。即ち、地肌と判断されていれば地肌候補値３１３に更新し、地肌と判断されなけれな地肌濃度３１１を保持し続ける。尚、地肌濃度記憶回路３１６が記憶する地肌濃度は、主走査方向の先頭で初期化され、次の判定が実行されるまで維持される。
【００２９】
一方、遅延回路３０４は、前述した画素ブロックの大きさの分、入力された画像信号を遅延し、地肌除去回路３１８に出力する。
地肌除去回路３１８には、地肌濃度３１１も入力されており、地肌除去回路３１８６は、地肌濃度３１１に応じて画像信号を補正して出力する。この補正は、例えば図４に示すように、検出された地肌濃度と等しい画像信号値が、一定となるように、変換特性の傾きを制御し、この変換特性による補正が実施される。
【００３０】
【発明の効果】
請求項１及び請求項２記載の発明では、プレスキャンを必要とせず、２次元的な変動にも追従でき、連続調のハイライト領域を地肌と認識しないで、地肌除去を行うことができる。
【図面の簡単な説明】
【図１】本発明を実施する一形式の複写機の機構部の概略を示した図である。
【図２】図１の複写機の電装部の概略を示した図である。
【図３】地肌除去回路の詳細を示した図である。
【図４】検出された地肌濃度と変更特性の関係を示した図である。
【符号の説明】
１０１  スキャナユニット
１０２  プリンタユニット
１０３  原稿
１０４  プラテン
１０５−１  ハロゲンランプ
１０５−２  ハロゲンランプ
１０６  第１ミラー
１０７  第２ミラー
１０８  第３ミラー
１０９  レンズ
１１０  ＣＣＤ
１１１  画像処理ユニット
１１２  ポリゴンミラ−
１１３  ｆθレンズ
１１４  第４ミラー
１１５  感光体ドラム
１１６  ポリゴンモ−タ
１１７  帯電チャ−ジャ
１１８  現像ユニット
１１９  転写ベルト
１２０−１  給紙カセット
１２０−２  給紙カセット
１２１−１  記録紙
１２１−２  記録紙
１２２−１  給紙コロ
１２３−１  レジストロ−ラ
１２３−２  レジストロ−ラ
１２４  転写チャ−ジャ
１２５−１  熱定着ユニット
１２５−２  熱定着ユニット
１２６  クリ−ニングユニット
１２７  クリ−ニングユニット
２０１  操作表示ユニット
２０２  複写機
２０３  システム制御ユニット
２０４  ＬＡＮ（ローカル・エリア・ネットワーク）接続装置
２０５  ＬＡＮ
２０６  ワークステーション
２０７  パーソナルコンピュータ
２０８  Ａ／Ｄ変換回路
２０９  スキャナ制御回路
２１０  キャリッジ駆動モータ
２１１  原稿サイズセンサ
２１２  γ変換回路
２１３  像域分離回路
２１４  領域制御回路
２１５  フィルタ回路
２１６  色補正回路
２１７  変倍回路
２１８  階調処理回路
２１９  画像処理制御回路
２２０  ＬＤ制御回路
２２１  ＬＤ
２２２  プリンタ制御回路
２２３  モータ
２２４  モータ
２２５  高圧電源
２２６  紙サイズセンサ
２２７  ＴＰＤ（タッチ・パネル・ディスプレイ）
２２８  キーボード
２２９  操作表示制御回路
３０１  画像信号
３０２  評価回路
３０３  抽出回路
３０４  遅延回路
３０５  評価結果
３０６  抽出結果
３０７  第１比較回路
３０８  第２比較回路
３０９  候補値算出回路
３１０  判定結果
３１１  地肌濃度
３１２  判断結果
３１３  地肌候補値
３１４  地肌判定回路
３１５  判定結果
３１６  地肌濃度記憶回路
３１８  地肌除去回路
３１９  地肌検出回路
【図１】
2004248095.tif 000003
【図２】
2004248095.tif 000004
【図３】
2004248095.tif 000005
【図４】
2004248095.tif 000006